(57)【要約】【課題】１機種の居室親機で複数の玄関子機を接続台数に関係なく接続することができ、各玄関子機と居室親機で通話可能とする。【解決手段】居室親機２は、通話タイマ２７にて計時中の所定の通話時間がタイムアップとなったときまたは居室親機２にて終話操作が行われたとき電源供給スイッチ３３がオフとなるように制御して伝送線Ｌ１への電源供給路を遮断する切替制御回路２９を備え、複数の玄関子機１ａ、１ｂ、・・・１ｎは、電源供給路が遮断されたとき、呼出状態の記憶を解除して待受状態の記憶に書き換えるラッチ回路１６を備える。【選択図】図１
2007235410.tif 000002
【特許請求の範囲】
【請求項１】
子機マイク（１１）および子機スピーカ（１２）をそれぞれ有する複数の玄関子機（１ａ、１ｂ、・・・１ｎ）と、前記複数の玄関子機に伝送線（Ｌ１）を経由して接続され、親機マイク（２１）および親機スピーカ（２２）を有する居室親機（２）とを設け、前記玄関子機からの呼び出しを前記居室親機にて報知し、前記玄関子機および前記居室親機の間で通話を成立させるインターホン装置であって、
前記居室親機は、前記複数の玄関子機をそれぞれ動作させるための通話用電源を生成する子機電源供給回路（３０）と、前記子機電源供給回路から前記伝送線への電源供給路を形成／遮断するための電源供給スイッチ（３３）のオン／オフ切り替えを制御する切替制御回路（２９）と、前記通話を成立させる所定の通話時間を計時するための通話タイマ（２７）とを備え、
前記玄関子機は、前記居室親機を呼び出すための操作部（１７）と、前記操作部にて行われる呼出操作の有無を検出し、呼出状態または待受状態を記憶するためのラッチ回路（１６）と、前記子機電源供給回路から供給される通話用電源の電圧レベルを検出するための通話電圧検出回路（１５）とを備えることにより、前記切替制御回路は、前記通話タイマにて計時中の所定の通話時間がタイムアップとなったときまたは前記居室親機にて終話操作が行われたとき前記電源供給スイッチがオフとなるように制御して前記伝送線への前記電源供給路を遮断し、前記ラッチ回路は、前記電源供給路が遮断されたとき、呼出状態の記憶を解除して待受状態の記憶に書き換えることを特徴とするインターホン装置。
【請求項２】
前記居室親機は、前記操作部にて呼出操作が行われてから所定の呼出時間を計時するための呼出タイマ（２６）を備えることにより、前記切替制御回路は、前記呼出タイマにて計時中の所定の呼出時間内は前記電源供給スイッチがオンとなるように制御して前記伝送線への前記電源供給路を形成し、前記所定の呼出時間がタイムアップとなったときに前記電源供給スイッチがオフとなるように制御して前記伝送線への前記電源供給路を遮断し、前記ラッチ回路は、前記電源供給路が遮断されたとき、呼出状態の記憶を解除して待受状態の記憶に書き換えることを特徴とする請求項１記載のインターホン装置。
【請求項３】
前記ラッチ回路は、前記伝送線上に重畳されている通話電圧の電圧レベルをもとに、前記複数の玄関子機のうち特定の玄関子機と前記居室親機との間で予め通話が成立されていることを検出し、前記操作部にて呼出操作が行われた場合において呼出状態の記憶を行わずに待受状態の記憶を保持することを特徴とする請求項１または請求項２記載のインターホン装置。
【請求項４】
前記切替制御回路は、前記複数の玄関子機からの呼び出しを同時に検出すると、前記電源供給スイッチがオン／オフとなるように制御して前記伝送線への前記電源供給路を形成／遮断し、
前記ラッチ回路は、前記電源供給スイッチがオン／オフ切り替えられたとき、呼出状態の記憶を解除して待受状態の記憶に書き換えることを特徴とする請求項１乃至請求項３のうち何れか１項記載のインターホン装置。
【請求項５】
前記呼出タイマーが計時中において、他の玄関子機で呼出操作を行ったとき、前記ラッチ回路は、伝送線電圧を検出して呼出中の玄関子機が存在することを認識し、呼出ボタンが押されたことの記憶を行わずに待受状態の記憶を保持することを特徴とする請求項１乃至請求項４のうち何れか１項記載のインターホン装置。
【発明の詳細な説明】
【技術分野】
【０００１】
本発明は複数の玄関子機を１台の居室親機に接続できるインターホン装置に係り、特に玄関子機と居室親機の通話制御を玄関子機にて行なうことができるインターホン装置に関する。
【背景技術】
【０００２】
従来から、複数の玄関子機を１台の親機に接続しているインターホン装置が知られている（例えば、特許文献１参照）。
【０００３】
このインターホン装置は、複数の子機と、複数の子機がそれぞれ個別の子機接続ラインを介して接続された玄関子機アダプタと、玄関子機アダプタに親機接続ラインを介して接続された親機およびテレビモニタとを備えている。複数の子機は、カメラ無玄関子機とカメラ付玄関子機が混在して玄関子機アダプタに接続されている。
【０００４】
玄関子機アダプタは、玄関子機アダプタに接続された複数の子機の種別を判定する子機種別判定回路と、子機種別判定回路で判定された子機種別がカメラ無玄関子機のときには親機との間で音声信号を送受する音声接続回路と、子機種別判定回路で判定された子機種別がカメラ付玄関子機のときには親機との間で音声信号を送受しテレビモニタに映像信号を送出する音声・映像接続回路とを備えている。
【０００５】
玄関子機アダプタの子機種別判定回路は、子機接続ラインにおける電圧降下を検出して親機と接続すべき子機を判定する。
【０００６】
なお、このような玄関子機接続アダプタの機能を親機が備えている場合には、複数の玄関子機を親機に直接接続することができる。
【０００７】
【特許文献１】特開平０６−２９３１９９号公報
【発明の開示】
【発明が解決しようとする課題】
【０００８】
しかしながら、背景技術に記載した従来のインターホン装置では、玄関子機と室内親機の通話制御を玄関子機接続アダプタや親機が行なうので、これら玄関子機接続アダプタや親機には、接続する玄関子機の台数に対応した玄関子機ライン切替回路を設けなければならず、専用の玄関子機接続アダプタや親機が必要になっていた。
【０００９】
本発明は、このような従来の難点を解決するためになされたもので、１機種の居室親機で複数の玄関子機を接続台数に関係なく接続することができ、各玄関子機と居室親機で通話可能となるインターホン装置を提供することを目的とする。
【課題を解決するための手段】
【００１０】
本発明の原理は、ラッチ回路を玄関子機に設けて、電源供給路が遮断された場合には待受状態をラッチ回路に記憶させ、電源供給路が形成された場合には呼出状態をラッチ回路に記憶させるようにして、玄関子機側で通話制御を行えるようにしたことにある。
【００１１】
そこで、本発明のインターホン装置における第１の態様は、子機マイクおよび子機スピーカをそれぞれ有する複数の玄関子機と、複数の玄関子機に伝送線を経由して接続され、親機マイクおよび親機スピーカを有する居室親機とを設け、玄関子機からの呼び出しを居室親機にて報知し、玄関子機および居室親機の間で通話を成立させるインターホン装置であって、室親機は、複数の玄関子機をそれぞれ動作させるための通話用電源を生成する子機電源供給回路と、子機電源供給回路から伝送線への電源供給路を形成／遮断するための電源供給スイッチのオン／オフ切り替えを制御する切替制御回路と、通話を成立させる所定の通話時間を計時するための通話タイマとを備え、玄関子機は、居室親機を呼び出すための操作部と、操作部にて行われる呼出操作の有無を検出し、呼出状態または待受状態を記憶するためのラッチ回路と、子機電源供給回路から供給される通話用電源の電圧レベルを検出するための通話電圧検出回路とを備えることにより、切替制御回路は、通話タイマにて計時中の所定の通話時間がタイムアップとなったときまたは居室親機にて終話操作が行われたとき電源供給スイッチがオフとなるように制御して伝送線への電源供給路を遮断し、ラッチ回路は、電源供給路が遮断されたとき、呼出状態の記憶を解除して待受状態の記憶に書き換えるものである。
【００１２】
本発明の第１の態様によれば、ラッチ回路を玄関子機に設けることにより、通話制御を玄関子機側で行なうことができるので、玄関子機の設置台数に係らず居室親機を１機種とすることが可能となる。
【００１３】
第２の態様は第１の態様のインターホン装置において、居室親機は、操作部にて呼出操作が行われてから所定の呼出時間を計時するための呼出タイマを備えることにより、切替制御回路は、呼出タイマにて計時中の所定の呼出時間内は電源供給スイッチがオンとなるように制御して伝送線への電源供給路を形成し、所定の呼出時間がタイムアップとなったときに電源供給スイッチがオフとなるように制御して伝送線への電源供給路を遮断し、ラッチ回路は、電源供給路が遮断されたとき、呼出状態の記憶を解除して待受状態の記憶に書き換えるものである。
【００１４】
本発明の第２の態様によれば、呼出タイマの制御によりラッチ回路を呼出状態の記憶から待受状態の記憶に書き換えることができるので、通話状態に移行していないにも拘らず電源供給路がオンの状態を保持してしまうことを防ぐことができる。
【００１５】
第３の態様は第１の態様又は第２の態様の何れかのインターホン装置において、ラッチ回路は、伝送線上に重畳されている通話電圧の電圧レベルをもとに、複数の玄関子機のうち特定の玄関子機と居室親機との間で予め通話が成立されていることを検出し、操作部にて呼出操作が行われた場合において呼出状態の記憶を行わずに待受状態の記憶を保持するものである。
【００１６】
本発明の第３の態様によれば、複数の玄関子機の何れか１台が通話中の場合には、他の玄関子機の呼出ボタンが押下されたとしても、他の玄関子機のラッチ回路は呼出状態の記憶を行わずに待受状態の記憶を保持することから、他の玄関子機は居室親機とは通話を行うことができないので、当該他の玄関子機が通話中の玄関子機と居室親機の通話路を遮断してしまうことを防ぐことができる。
【００１７】
第４の態様は第１の態様乃至第３の態様の何れかのインターホン装置において、切替制御回路は、複数の玄関子機からの呼び出しを同時に検出すると、電源供給スイッチがオン／オフとなるように制御して伝送線への電源供給路を形成／遮断し、ラッチ回路は、電源供給スイッチがオン／オフ切り替えられたとき、呼出状態の記憶を解除して待受状態の記憶に書き換えるものである。
【００１８】
本発明の第４の態様によれば、万が一、複数の玄関子機から同時に居室親機を呼び出したとしても、切替制御回路が電源供給路を遮断するように制御するので、複数の玄関子機と居室親機とが通話状態になってしまうことを防ぐことができる。
【００１９】
第５の態様は第１の態様乃至第４の態様の何れかのインターホン装置において、呼出タイマーが計時中において、他の玄関子機で呼出操作を行ったとき、ラッチ回路は、伝送線電圧を検出して呼出中の玄関子機が存在することを認識し、呼出ボタンが押されたことの記憶を行わずに待受状態の記憶を保持するものである。
【００２０】
本発明の第５の態様によれば、複数の玄関子機の何れか１台が呼出中に、他の玄関子機の呼出ボタンが押下されたとしても、ラッチ回路は電源供給路が既に形成されていることを検出するので、他の玄関子機のラッチ回路は呼出状態の記憶を行わずに待受状態の記憶を保持する。したがって、他の玄関子機は居室親機とは通話を行うことができないので、当該他の玄関子機が呼出中の玄関子機と居室親機の通話路を遮断してしまうことを防ぐことができる。
【発明の効果】
【００２１】
本発明のインターホン装置によれば、１機種の居室親機で複数の玄関子機を接続台数に関係なく接続しても、各玄関子機と居室親機で正常に通話することができる。
【発明を実施するための最良の形態】
【００２２】
以下、本発明のインターホン装置における好ましい実施の形態例について、図面を参照して説明する。
【００２３】
本発明のインターホン装置は図１に示すように、玄関などに設置される複数の玄関子機１ａ、１ｂ、・・・１ｎと、住宅の室内に設置される居室親機２とが伝送線Ｌ１で接続されている。玄関子機１ａと居室親機２とは伝送線Ｌ１で接続され、他の玄関子機１ｂ、・・・１ｎは玄関子機１ａから伝送線Ｌ１で渡り配線されている。
【００２４】
玄関子機１ａ、１ｂ、・・・１ｎは、居室親機２と通話を行なうためのマイク１１、スピーカ１２と、来訪者等を撮像するカメラ１９と、居室親機２を呼び出すための操作部である呼出ボタン１７とを備えている。
【００２５】
マイク１１、スピーカ１２は通話回路１３に接続され、カメラ１９は映像信号処理回路２０に接続され、通話回路１３および映像信号処理回路２０はそれぞれ子機電源回路１４に接続され、子機電源回路１４はｃ接点を有する伝送線切替スイッチ２１のａ接点に接続されている。伝送線切替スイッチ２１のｂ接点は他の玄関子機に接続される伝送線Ｌ１に接続する接続端子Ｔ１に接続され、伝送線切替スイッチ２１の接続端子Ｔ１０は室内親機２に接続される伝送線Ｌ１を接続する接続端子Ｔ２に接続されている。子機電源回路１４および接続端子Ｔ２の接続点は抵抗Ｒ１を介して呼出ボタン１７に接続されている。子機電源回路１４および接続端子Ｔ２の接続点と抵抗Ｒ１との接続点は通話電圧検出回路１５の入力端子に接続され、通話電圧検出回路１５の出力端子はラッチ回路１６の第１の入力端子に接続されている。抵抗Ｒ１および呼出ボタン１７の接続点はラッチ回路１６の第２の入力端子に接続され、ラッチ回路１６の出力端子は通話回路１３の制御端子と映像信号処理回路２０の制御端子と伝送線切替スイッチ２１の制御端子に接続されている。
【００２６】
子機電源回路１４は、玄関子機１ａ、１ｂ、・・・１ｎの各構成回路等に電源を供給するものである。通話電圧検出回路１５は、後述する居室親機２の子機電源供給回路３０から供給される通話用電源の電圧レベルを検出するものである。ラッチ回路１６は、呼出ボタン１７にて行われる呼出操作の有無を検出し、呼出状態または待受状態を記憶するためのものである。ここで、呼出状態とは呼出ボタン１７が呼出操作された状態をいい、待受状態とは居室親機２から待受電源が供給されている場合をいう。
【００２７】
居室親機２は、玄関子機１ａ、１ｂ、・・・１ｎと通話を行なうためのマイク３８、スピーカ３９を有するハンドセット３７と、玄関子機１ａ、１ｂ、・・・１ｎからの呼び出しを出力する呼出スピーカ３５と、玄関子機１ａ、１ｂ、・・・１ｎのカメラ１９で撮像された来訪者等の画像を表示する液晶パネル等のモニタ３２と、ハンドセット３７のフックオン、フックオフを検知するフックスイッチ２４とを備えている。
【００２８】
ハンドセット３７のマイク３８、スピーカ３９は通話回路２３に接続され、モニタ３２は映像信号処理回路３１に接続されている。呼出スピーカ３５は音声回路３６を介して呼出検出回路２５の第１の出力端子に接続され、呼出検出回路２５の入力端子は伝送線Ｌ１を接続する接続端子Ｔ３に接続されている。また、接続端子Ｔ３はａ接点の電源供給スイッチ３３に接続され、電源供給スイッチ３３は子機電源供給回路３０に接続され、子機電源供給回路３０は親機電源回路３４に接続されている。電源供給スイッチ３３および子機電源供給回路３０の接続点は通話回路２３および映像信号処理回路３１に接続されている。子機電源供給回路３０および親機電源回路３４の接続点は抵抗Ｒ２に接続され、抵抗Ｒ２はフックスイッチ２４に接続されている。抵抗Ｒ２およびフックスイッチ２４の接続点は、通話回路２３の制御端子、呼出タイマ２６および通話タイマ２７の各第１の入力端子が接続されている。呼出タイマ２６の第１の出力端子は切替制御回路２９の第１の制御端子に接続され、切替制御回路２９の出力端子は電源供給スイッチ３３の制御端子に接続されている。また、呼出タイマ２６の第２の出力端子は通話タイマ２７の第２の入力端子に接続され、通話タイマ２７の出力端子は切替制御回路２９の第２の制御端子に接続されている。切替制御回路２９の第３の制御端子は呼出検出回路２５の第２の出力端子に接続されている。また、親機電源回路３４および抵抗Ｒ２の接続点と子機電源供給回路３０との接続点と、接続端子Ｔ３および電源供給スイッチ３３の接続点には、検出用抵抗Ｒ３が接続されている。
【００２９】
子機電源供給回路３０は、複数の玄関子機１ａ、１ｂ、・・・１ｎの任意の１つをそれぞれ動作させるための通話用電源を生成するものである。切替制御回路２９は、子機電源供給回路３０から伝送線Ｌ１への電源供給路を形成／遮断するための電源供給スイッチ３３のオン／オフ切り替えを制御するためのものである。通話タイマ２７は、複数の玄関子機１ａ、１ｂ、・・・１ｎの何れか１台と、居室親機２の間で通話を成立させる所定の通話時間を計時するためのもので、例えばハンドセット３７がフックオフのままで通話状態を保持している場合には強制的に待受状態にすることができる。ここで、通話状態とは、居室親機２において電源供給スイッチ３３がオンされ電源供給路が形成されることで、通話電源が玄関子機に供給されることをいう。呼出タイマ２６は、玄関子機の呼出ボタン１７にて呼出操作が行われてから所定の呼出時間を計時するためのものである。
【００３０】
このような居室親機２の切替制御回路２９は、通話タイマ２７にて計時中の所定の通話時間内は電源供給スイッチ３３がオンとなるように制御し、所定の通話時間がタイムアップとなったときまたは居室親機２にて終話操作が行われたとき電源供給スイッチ３３がオフとなるように制御する第１の切替機能を有している。また、切替制御回路２９は、呼出タイマ２６にて計時中の所定の呼出時間内は電源供給スイッチ３３がオンとなるように制御し、所定の呼出時間がタイムアップとなったときに電源供給スイッチ３３がオフとなるように制御する第２の切替機能を有している。また、切替制御回路２９は、複数の玄関子機１ａ、１ｂ、・・・１ｎからの呼び出しを同時に検出すると、電源供給スイッチ３３がオン／オフとなるように制御する第３の切替機能を有している。
【００３１】
また、玄関子機１ａ、１ｂ、・・・１ｎが備えたラッチ回路１６は、種々の記憶機能を有している。このラッチ回路１６は、通話電圧検出回路１５からの入力信号電圧レベルがローレベルで、呼出ボタン１７からの入力信号電圧レベルがハイレベルの場合は出力信号電圧レベルをローレベルにして、待受状態を記憶する第１の記憶機能を有している。また、ラッチ回路１６は、通話電圧検出回路１５からの入力信号電圧レベルがローレベルで、玄関子機の呼出ボタン１７が呼出操作されて呼出ボタン１７からの入力信号電圧レベルがローレベルの場合は出力信号電圧レベルをハイレベルにして、呼出状態を記憶する第２の記憶機能を有している。また、ラッチ回路１６は、呼出状態を記憶する第２の記憶機能のときに、通話電圧検出回路１５からの入力信号電圧レベルがハイレベルになると、通話状態を記憶する第３の記憶機能を有している。また、ラッチ回路１６は、通話状態を記憶する第３の記憶機能のときに、通話電圧検出回路１５からの入力信号電圧レベルがローレベルになると、待受状態を記憶する第４の記憶機能を有している。また、ラッチ回路１６は、通話電圧検出回路１５からの入力信号電圧レベルがハイレベルで、呼出ボタン１７が呼出操作されて呼出ボタン１７からの入力信号電圧レベルがローレベルの時に、待受状態を記憶した状態で保持して出力信号電圧レベルをローレベルにする第５の記憶機能を有している。また、ラッチ回路１６は、呼出状態を記憶する第２の記憶機能のときに、通話電圧検出回路１５からの入力信号電圧レベルがハイレベル、ローレベルと切り替わると呼出状態の記憶を解除して待受状態の記憶に書き換えて出力信号電圧レベルをローレベルにする第６の記憶機能を有している。
【００３２】
ラッチ回路１６は、このような記憶機能を有するように既存の論理回路を組み合わせて構成されている。
このように構成されたインターホン装置の動作について、図１、図２に基づき説明する。
【００３３】
通話用電源供給路が遮断されインターホン装置は待受状態で親機電源回路３４から検出用抵抗Ｒ３を介して待受電源が供給されている場合において、例えば玄関子機１ａの呼出ボタン１７が呼出操作されると、ラッチ回路１６は通話電圧検出回路１５からの入力信号電圧レベルがローレベル、呼出ボタン１７からの入力信号電圧レベルがローレベルとなるので、待受状態を記憶する第１の記憶機能から呼出状態を記憶する第２の記憶機能となり出力信号電圧レベルをハイレベルにする。したがって、通話回路１３および映像信号処理回路２０が能動となり、伝送線切替スイッチ２１がａ接点を閉じる。また、室内親機２は玄関子機１ａの呼出ボタン１７が呼出操作されると、接続端子Ｔ３の電圧が下がることにより呼出状態を示す呼出信号を呼出検出回路２５が検出する。呼出検出回路２５は呼出信号を検出すると、呼出タイマ２６および音声回路３６に呼出検出信号を送出するので、呼出タイマ２６が計時を開始すると共に呼出スピーカ３５は呼出音を出力する。また、呼出タイマ２６が計時中においては、切替制御回路２９は第２の切替機能で電源スイッチ３３がオンとなるように制御するので、子機電源供給回路３０から通話電源が伝送路Ｌ１に供給される。
【００３４】
この呼出タイマ２６が計時中に室内親機２のハンドセット３７を取り上げると、フックスイッチ２４がフックオフとなることから、呼出タイマ２６がリセットされ通話タイマ２７が計時を開始するので、切替制御回路２９は第１の切替機能で電源供給スイッチ３３のオン状態を継続させる。
【００３５】
玄関子機１ａは、通話電圧検出回路１５がライン電圧を監視し通話電源が供給されたことを検出し、ラッチ回路１６に通話電圧検出信号を送出する。ラッチ回路１６は、呼出状態を記憶した第２の記憶機能のときに、通話電圧検出回路１５からの入力信号電圧レベルがハイレベルになるので、第３の記憶機能で引き続き通話回路１３および映像信号処理回路２０を能動状態で、伝送線切替スイッチ２１のａ接点を閉じた状態にする。したがって、子機電源回路１４から子機構成各部へ電源が供給されるので、玄関子機１ａのカメラ１９からの映像を室内親機２のモニタ３２で確認でき、玄関子機１ａのマイク１１、スピーカ１２と、室内親機２のハンドセット３７との間で通話路が形成される。
【００３６】
居室親機２にてハンドセット３７を元に戻す終話操作を行うとフックスイッチ２４がフックオンとなることから、通話タイマ２７がリセットされるので、切替制御回路２９は第１の切替機能で電源供給スイッチ３３をオフとなるように制御する。これにより、待受電源になることから、玄関子機１ａのラッチ回路１６は、通話状態を記憶する第３の記憶機能のときに、通話電圧検出回路１５からの入力信号電圧レベルがローレベルになるので、第４の記憶機能で通話回路１３および映像信号処理回路２０を非能動とし、伝送線切替スイッチ２１のｂ接点を閉じさせる。即ち、玄関子機１ａは待受状態に移行する。
【００３７】
また、呼び出しの後、室内親機２で通話操作を行わない場合、呼出タイマ２６の所定の呼出時間がタイムアップとなることから、切替制御回路２９は第２の切替機能で電源供給スイッチ３３がオフとなるように制御するので、伝送路Ｌ１には待受電源が供給されることになる。玄関子機１ａの通話電圧検出回路１５は通話電源が供給されなくなると、通話電圧検出信号の送出を停止するので、ラッチ回路１６は、呼出状態を記憶する第２の記憶機能のときに、通話電圧検出回路１５からの入力信号電圧レベルがローレベルになり、第６の記憶機能で通話回路１３および映像信号処理回路２０を非能動とし、伝送線切替スイッチ２１のｂ接点を閉じさせる。即ち、玄関子機１ａは待受状態に移行する。したがって、呼出タイマ２６の制御により玄関子機１ａのラッチ回路１６を呼出状態の記憶から待受状態の記憶に書き換えることができるので、通話状態に移行していないにも拘らず電源供給路がオンの状態を保持してしまうことを防ぐことができる。
【００３８】
また、室内親機２は、通話タイマ２７が計時中にハンドセット３７がフックオフからフックオンにならない場合には、通話タイマ２７がリセットされるので、切替制御回路２９は第１の切替機能で電源供給スイッチ３３をオフとなるように制御する。これにより、待受電源になるので、玄関子機１ａのラッチ回路１６は、通話状態を記憶する第３の記憶機能のときに、通話電圧検出回路１５からの入力信号電圧レベルがローレベルになるので、第４の記憶機能で通話回路１３および映像信号処理回路２０を非能動とし、伝送線切替スイッチ２１のｂ接点を閉じさせる。即ち、玄関子機１ａは待受状態に移行する。
【００３９】
また、玄関子機１ａと居室親機２が通話状態のときに、他の玄関子機から呼出ボタン１７で呼び出しされると、当該他の玄関子機のラッチ回路１６は、通話電圧検出回路１５からの入力信号電圧レベルがハイレベル、呼出ボタン１７からの入力信号電圧レベルがローレベルなので、第５の記憶機能で待受状態を記憶した状態で保持して出力信号電圧レベルをローレベルにする。即ち、伝送線Ｌ１上に重畳されている通話電圧の電圧レベルをもとに、玄関子機１ａと居室親機２との間で予め通話が成立されていることを検出し、当該他の玄関子機の呼出ボタン１７にて呼出操作が行われた場合において呼出状態の記憶を行わずに待受状態の記憶を保持する。したがって、他の玄関子機は居室親機２とは通話を行うことができないので、当該他の玄関子機が通話中の玄関子機１ａと居室親機２の通話路を遮断してしまうことを防ぐことができる。
【００４０】
また、居室親機２は待受状態において、複数の玄関子機で同時に呼出操作されたときには、切替制御回路２９が接続端子Ｔ３の電圧が呼出時よりもさらに低くなったことを検出し、第３の切替機能で電源供給スイッチ３３を一度オンさせて、その後オフさせる制御を行なうので、すべての玄関子機と居室親機とを待受状態にして初期化することができる。この際、各玄関子機のラッチ回路１６は、第６の記憶機能で呼出状態の記憶を解除して待受状態の記憶に書き換えて出力信号電圧レベルをローレベルにするので、通話回路１３および映像信号処理回路２０を非能動とし、伝送線切替スイッチ２１のｂ接点を閉じさせる。したがって、万が一、複数の玄関子機から同時に居室親機を呼び出したとしても、切替制御回路２９が電源供給路を遮断するように制御するので、複数の玄関子機と居室親機とが通話状態になってしまうことを防ぐことができる。
【００４１】
また、室内親機２の呼出タイマ２６が計時中、即ち、何れかの玄関子機が室内親機２を呼出中に他の玄関子機から呼出ボタン１７で呼び出しされると、当該他の玄関子機のラッチ回路１６は、通話電圧検出回路１５からの入力信号電圧レベルがハイレベル、呼出ボタン１７からの入力信号電圧レベルがローレベルなので、第５の記憶機能で待受状態を記憶した状態で保持して出力信号電圧レベルをローレベルにする。即ち、伝送線電圧を検出して呼出中の玄関子機が存在することを認識し、当該他の玄関子機の呼出ボタン１７が押されたことの記憶を行わずに待受状態の記憶を保持する。したがって、他の玄関子機は居室親機２とは通話を行うことができないので、当該他の玄関子機が通話中の玄関子機１ａと居室親機２の通話路を遮断してしまうことを防ぐことができる。
【００４２】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００４３】
【図１】本発明のインターホン装置における好ましい実施の形態例を示す全体ブロック図である。
【符号の説明】
【００４４】
１ａ、１ｂ、・・・１ｎ……玄関子機
１１……子機マイク
１２……子機スピーカ
１５……通話電圧検出回路
１６……ラッチ回路
１７……呼出ボタン（操作部）
２……居室親機
２１……親機マイク
２２……親機スピーカ
２６……呼出タイマ
２７……通話タイマ
２９……切替制御回路
３０……子機電源供給回路
３３……電源供給スイッチ
【図１】
2007235410.tif 000003